(57)【要約】【課題】環境光下においても視認性が良くかつ立体感が良好な立体画像表示装置を提供する。【解決手段】光源から観察者の間に、視差違いの画像群を表示するＩＰ用画像２１と、複数の微小透孔がアレイ状に配置されて当該表示部の画像を観察者の両目に視差違いの像として映す微小透孔アレイ２３とを配置して立体画像を表示する立体画像表示装置において、微小透孔アレイ２３の開口率を１８〜５０％とする。【選択図】図３
2006208804.tif 000002
【特許請求の範囲】
【請求項１】
光源から観察者の間に、視差違いの画像群を表示する表示部と、複数の微小透孔がアレイ状に配置されて当該表示部の画像を観察者の両目に視差違いの像として映す微小透孔アレイとを配置して立体画像を表示する立体画像表示装置において、
前記微小透孔アレイの開口率が１８〜５０％であることを特徴とする立体画像表示装置。
【請求項２】
前記光源から観察者に向かう方向において、前記表示部、前記微小透孔アレイの順に配置されていることを特徴とする請求項１に記載の立体画像表示装置。
【請求項３】
前記光源から観察者に向かう方向において、前記微小透孔アレイ、前記表示部の順に配置されていることを特徴とする請求項１に記載の立体画像表示装置。
【請求項４】
前記微小透孔アレイがフライアイレンズであることを特徴とする請求項１〜３のいずれか一項に記載の立体画像表示装置。
【請求項５】
前記微小透孔アレイの光源側の面が光反射面であることを特徴とする請求項１〜３のいずれか一項に記載の立体画像表示装置。
【請求項６】
視差違いの画像群を作成するインテグラルフォトグラフィ（ＩＰ画像）処理工程と、
前記視差違いの画像群を表示する表示部を作成するＩＰ画像出力工程と、
光源から観察者の間に、前記表示部と、複数の微小透孔がアレイ状に配置されて当該表示部の画像を観察者の両目に視差違いの像として映す微小透孔アレイとを配置して立体画像を形成する立体画像表示化工程と、により立体画像を表示する立体画像表示装置の製造方法において、
前記微小透孔アレイの開口率が１８〜５０％であることを特徴とする立体画像表示装置の製造方法。
【請求項７】
前記立体画像表示化工程は、
前記光源から観察者に向かう方向において、前記表示部、前記微小透孔アレイの順に配置されていることを特徴とする請求項６に記載の立体画像表示装置の製造方法。
【請求項８】
前記立体画像表示化工程は、
前記光源から観察者に向かう方向において、前記微小透孔アレイ、前記表示部の順に配置されていることを特徴とする請求項６に記載の立体画像表示装置の製造方法。
【請求項９】
前記微小透孔アレイがフライアイレンズであることを特徴とする請求項６〜８のいずれか一項に記載の立体画像表示装置の製造方法。
【請求項１０】
前記微小透孔アレイの光源側の面が光反射面であることを特徴とする請求項６〜８のいずれか一項に記載の立体画像表示装置の製造方法。
【発明の詳細な説明】
【技術分野】
【０００１】
本発明は、立体画像表示装置及び立体画像表示装置の製造方法に関する。
【背景技術】
【０００２】
従来から、観察者が上下左右に移動して画像を見た際に立体的に視認することができる立体画像に関する技術は、様々なものが開発されており、具体的には、インテグラルフォトグラフィ（Integral  Photography）方式、またはそれと技術的に関連が深い光線再生法を用いる方式が知られている。
上述の方式による立体画像は、主に視差違いの画像群と微小透孔アレイとから構成され、視差違いの画像群からの像が観察者の両目に対して視差のある像として映るように微小透孔アレイが配置されることで実現される。
例えば、非特許文献１には、上述の視差違いの画像群であるインテグラルフォトグラフィ画像（以下ＩＰ画像という）を合成する技術が公開されている。
【非特許文献１】Ｓｈａｄｅ（ＴＭ）によるインテグラルフォトグラフィ画像の合成，３Ｄ  Ｉｍａｇｅ  Ｃｏｎｆｅｒｅｎｃｅ  ２００４，ｐｐ．１７３〜１７６，２００４
【発明の開示】
【発明が解決しようとする課題】
【０００３】
しかしながら、ＩＰ画像などの視差違いの画像群を微小透孔アレイで立体画像として表示する場合は、微小透孔アレイを使って再生するという構成上、外部の環境光により特に遠隔からの視認性が良くないという問題があった。この問題を解決するための方法としては、上述の非特許文献１に記載の技術を用いて視認性の良い画像を合成したり、ＩＰ画像へ光を照射する光源の照度を増加するなどの工夫があるが、環境光に対するＩＰ画像の改良には限界があり、照度の増加には立体感が喪失されるという点での限界があった。
このため、夕方の路地、地下鉄の構内、又は建物内などの外部からの光や照明光などがある場所で再生するには十分とは言えず、さらなる開発が望まれていた。
【０００４】
そこで、本発明は、環境光下においても視認性が良くかつ立体感が良好な立体画像表示装置の提供を課題とするものである。
【課題を解決するための手段】
【０００５】
上記課題を解決するために、請求項１に記載の発明は、光源から観察者の間に、視差違いの画像群を表示する表示部と、複数の微小透孔がアレイ状に配置されて当該表示部の画像を観察者の両目に視差違いの像として映す微小透孔アレイとを配置して立体画像を表示する立体画像表示装置において、前記微小透孔アレイの開口率が１８〜５０％であることを特徴とする。
【０００６】
請求項２に記載の発明は、請求項１に記載の発明において、前記光源から観察者に向かう方向において、前記表示部、前記微小透孔アレイの順に配置されていることを特徴とする。
【０００７】
請求項３に記載の発明は、請求項１に記載の発明において、前記光源から観察者に向かう方向において、前記微小透孔アレイ、前記表示部の順に配置されていることを特徴とする。
【０００８】
請求項４に記載の発明は、請求項１〜３のいずれか一項に記載の発明において、前記微小透孔アレイがフライアイレンズであることを特徴とする。
【０００９】
請求項５に記載の発明は、請求項１〜３のいずれか一項に記載の発明において、前記微小透孔アレイの光源側の面が光反射面であることを特徴とする。
【００１０】
更に、請求項６〜１０に記載の発明は、請求項１〜５に記載の発明に示した立体画像を表示する立体画像表示装置の製造方法を提供する。
【００１１】
本発明における「微小透孔アレイ」とは、インテグラルフォトグラフィ方式で各微小立体画素の光束を調整するための光線軌跡制御部であり、例えば、ピンホールアレイ、フライアイレンズ、液晶シャッターが挙げられる。
【００１２】
本発明における「開口率」とは、微小透孔アレイでインテグラルフォトグラフィ用光線が透過可能な面積の、全アレイ板面積に対する比率であり、全アレイ板の面積に対するピンホール、フライアイレンズのレンズ部（平板部は除く）、又は液晶シャッターの面積比率を表す。
【００１３】
本発明における「立体画像」とは、静止画像の複数画像であって、観察者が移動することにより擬似動画に見える場合のように、疑似動画を得るための立体画像、及び複数コマによる擬似動画観察をも可能である立体画像を含む。
【発明の効果】
【００１４】
本発明によれば、観察者は環境光下においても視認性が良くかつ立体感が良好な立体画像を視認することができる。
【発明を実施するための最良の形態】
【００１５】
以下、本発明について説明する。
本発明において、立体画像表示用画像を作る方法は、図１に示されている。立体画像表示用画像となる元画（入力）としては、三次元非接触型実写、３ＤＣＧ形状若しくはＣＡＤの如き３Ｄデータ、又はデジタルカメラによる実写が挙げられる。
【００１６】
立体画像表示用画像とするための画像処理（ＩＰ画像処理）としては、市販ソフトであるＳｈａｄｅ、ｍａｙａ、３ｄｓＭＡＸの如き３ＤＣＧソフトや、ＣＡＤソフトを用いることができ、図１に矢印で示す元画（入力）の各々に対応したソフトによるＩＰ画像処理が行なわれることによって、ＩＰ画像が作成される。このＩＰ画像は、ＴＤ（透過型）若しくはＳＧ（反射型）の如きいわゆるラムダと、ポジフィルムの如きＬＶＴ等から成る銀塩用画像が得られる。この得られた立体画像表示用画像を３Ｄ表示化する（立体画像表示化工程）には微小透孔アレイが用いられ、銀塩写真技術や印刷技術によるピンホールアレイやフライアイレンズが利用される。
【００１７】
入力工程１０の入力手段としては、デジタルカメラによる実写、三次元非接触型実写、ＣＡＤや３ＤＣＧ形状の３Ｄデータ入力などが挙げられる。
多視点画像データ化工程１１には、ｓｈａｄｅ、ｍａｙａ、３ｄｓＭＡなどの３ＤＣＧソフトが使用される。
ＩＰ画像処理工程１２では、図２の模式図に示すような処理が行なわれる。例えば、１視点が１８０×１８０画素からなる画像を縦３２視点×横３２視点＝１０２４視点分を集め、一つのピンホール（やレンズ）から観察される各視点の画像をピンホールに対応する位置に集めて、一枚のＩＰ用画像が作成される。
【００１８】
ＩＰ画像出力工程１３で使用される出力材料としては銀塩の（透過）観察用感光材料（観察用感光材料はプラスチックフィルム支持体（好ましくは透過型支持体）上にハロゲン化銀写真感光材料で画像形成したものである。例えば、特開平２−１８１１３９号、特開平４−１３１８４５号、特開平８−６９０８１号の段落番号［００６８］〜［００７２］等を参照できる。）やインクジェット、印刷などが用いられる。
３Ｄ表示化工程１４ではピンホール（銀塩感光材料や印刷で形成されたもの）やフライアイレンズ（印刷や成型形成されたもの）とＩＰ用画像が（適宜スペーサーを介して）合体されて立体画像表示部が作成される。
【００１９】
図２は、図１で説明したＩＰ立体画像を得るための立体画像表示用画像の作成を説明する図であり、元画の１画面サイズが１８０×１８０画像、視点数が上下３２・左右３２の場合を示しており、１０２４枚の視点違いの画像群２１０から１枚のＩＰ用画像２１が作成されることを示している。そして、図２で示された工程が、ＩＰ画像処理工程１２となる。
【００２０】
上述の３次元非接触型実写とは、立体物の凹凸情報を被写体で得るものであり、レーザー光照射したり、縞状光照射での歪みを測定するものがある。例えば、コニカミノルタ社製ＶＩＶＩＤ９１０やＶＩＶＩＤ９ｉを使用する事ができ、特開２００２−２２８４１３等にも記載されている。
【００２１】
カラー材料としては、次のものが包含される。
先ず、ハロゲン化銀カラー写真感光材料が挙げられる。この感光材料としては光透過性支持体、もしくは反射支持体の上に互いに吸収波長領域の異なる少なくとも３種の感光性層を有するものであれば、公知のいずれのものであってもよいが、光透過性支持体上に画像形成される透過光観察型のハロゲン化銀カラー写真感光材料であることが好ましい。
【００２２】
また、本発明に用いられるハロゲン化銀カラー写真感光材料は、撮影用のカラーネガフィルム、カラーポジフィルムであってもよく、プリント用の印画紙やディスプレイ用の透過印画フィルムのいずれであってもよい。本発明の用いることの出来るハロゲン化銀感光材料の好ましい様態の一つは、大判サイズのカラーポジフィルムである。また別の様態は、透過型ディスプレイ作成用のカラーフィルムであり、特にデジタル露光に適したディスプレイフィルムが好ましい。
【００２３】
本発明に用いることができるハロゲン化銀乳剤の組成は、塩化銀、臭化銀、塩臭化銀、沃臭化銀、塩沃臭化銀、塩沃化銀等の任意のハロゲン組成を有するものであってもよい。
例えば、撮影用感材に主に用いられる沃臭化銀乳剤であっても良い。また、プリント用感材に用いられる塩化銀を９５モル％以上含有する塩臭化銀乳剤であっても良く、特に高照度露光適正を高めたデジタル露光に最適な乳剤である場合が好ましい。
【００２４】
前述に限らず、本発明に用いられるカラー材料としては、色素又は色素前駆体を有する記録材料であれば、公知のいずれのものでもよい。例えば、簡易なドライ処理により、アゾメチン色素による高画質の色画像を得ることのできる光記録材料を挙げることができ、具体的には、特定構造のアゾメチン色素の色素前駆体を内包するマイクロカプセルと、光重合開始剤および重合性求電子剤を含む油滴とバインダーを含む感光層を透明支持体上に設けた光記録材料が挙げられる。そして、光重合開始剤がカオチン性色素／アニオン性ホウ素化合物錯体であるものが好ましい例として挙げられる。
【００２５】
この光記録材料による画像形成方法は、透明支持体上に、色素前駆体を内包するマイクロカプセルと、重合性求電子剤および光重合開始剤を含む油滴と、バインダーを含む感光層を有する材料を像様に露光して、露光された光重合開始剤からラジカルを生成せしめ、そのラジカルが重合性求電子剤に付加して重合を開始させ、重合性求電子剤を像様に重合不動化する。その後加熱することにより、未重合の求電子剤と色素前駆体を接触、反応させ色素像を得る。
【００２６】
これに用いられる色素前駆体は種々の化合物を使用できる。具体的には、上述したアゾメチン色素を得る色素前駆体などがある。色素前駆体の油滴内部からのリアクタントの重合によるマイクロカプセル化、酢酸エチルのような揮発性溶媒にオイル相を溶解後に水溶性高分子中に乳化分散することによって得られる油滴、オキシムエステル類、過酸化物、有機イオウ化合物、ハロゲン化物、又はホスフィンオキシド化合物のような直接光分解するような光重合開始剤、求核置換反応または求核付加反応を受ける官能基と重合性基を合わせ持つ化合物である重合性求電子剤等を用いる方法で色素像を得ることができる。上述した色素前駆体などは、例えば、特開２００１−１３６８０号に挙げられており、本発明においても採用できる。
【００２７】
この光記録材料は、感光波長が異なる複数の光重合開始剤、および色の異なる複数の色素前駆体を組み合わせ、多色またはフルカラー画像を形成する。例えばそれぞれシアン、マゼンダ、イエローに発色し、感光波長の異なる３つの感光層を積層することにより、フルカラー画像形成用の光記録材料とすることができる。それぞれの層の間に中間層を設けることもでき、その他、保護層、フィルター層などを設けても良い。
【００２８】
露光光源の選択に際しては、光記録材料の感光波長に適した光源を選ぶことは勿論であるが、画像情報が電気信号を経由するかどうか、システム全体の処理速度、コンパクトネス、消費電力などを考慮して選ぶことができる。
【００２９】
画像情報を電気信号で経由して記録する場合には、画像露光装置としては、発光ダイオード、各種レーザーを用いてもよいし、画像表示装置として知られる各種デバイス（ＣＲＴ、液晶ディスプレイ、エクトロルミネッセンスディスプレイ、エレクトロクロミックディスプレイ、プラズマディスプレイなど）を用いることもできる。この場合、画像情報は、ビデオカメラや電子スチルカメラから得られる画像信号、日本テレビジョン信号規格（ＮＴＳＣ）に代表されるテレビ信号、原画をスキャナーなどで多数の画素に分割して得た画像信号、磁気テープ、ディスク等の記録材料に蓄えられた画像信号が利用できる。
【００３０】
カラー画像の露光に際しては、ＬＥＤ、レーザー、蛍光管などを光記録材料の感色性に合わせて組み合わせて用いるが、同じものを複数組み合わせて用いてもよいし、別種のものを組み合わせて用いてもよい。光記録材料の感色性は写真分野ではＲ（赤）、Ｇ（緑）、Ｂ（青）感色性が通常であるが、近年はＵＶ、ＩＲなどを組み合わせて用いることも多く、光源の利用範囲が広がってきている。例えば光記録材料の感色性が（Ｇ、Ｒ、ＩＲ）であったり、（Ｒ、ＩＲ（短波）、ＩＲ（長波））、（ＵＶ（短波）、ＵＶ（中波）、ＵＶ（長波））、（ＵＶ、Ｂ、Ｇ）などのスペクトル領域が利用される。光源もＬＥＤ２色とレーザーの組み合わせなど別種のものを組み合わせてもよい。上記発光管あるいは素子は１色毎に単管あるいは素子を用いて走査露光してもよいし、露光速度を速めるためにアレイになったものを用いてもよい。利用できるアレイとしては、ＬＥＤアレイ、液晶シャッターアレイ、磁気光学素子シャッターアレイなどが挙げられる。
【００３１】
また、最近進展が著しい青色光発色ダイオードを用い、緑色光発色ダイオード、赤色光発色ダイオードと組み合わせた光源も用いることができる。
【００３２】
上記画像表示装置としては、ＣＲＴのようにカラー表示のものとモノクロ表示のものがあるが、モノクロ表示のものをフィルターを組み合わせて数回の露光を行なう方式を採用してもよい。既存の２次元の画像表示装置は、ＦＯＴのように１次元化して利用してもよいし１画面を数個に分割して走査と組み合わせて利用してもよい。加熱手段としては、光記録材料の感光層が塗設されていない支持体上の面に発熱体層を設けて加熱してもよい。さらに熱板、アイロン、熱ローラーを用いたり、熱ローラーとベルトの間に光記録材料をはさんで加熱する方法を用いてもよい。
【００３３】
すなわち該光記録材料を、光記録材料の面積以上の表面積を有する発熱体と接触させて、全面を同時に加熱しても良いし、より小さな表面積の発熱体（熱板、熱ローラー、熱ドラムなど）と接触させ、それを走査させて時間を追って全面が加熱されるようにしても良い。また上記のように発熱体と光記録材料とを直接接触する加熱方法以外にも、電磁波、赤外線、熱風などを光記録材料にあてて非接触の状態で加熱することもできる。本発明の画像形成においては、該光記録材料の、感光層を塗設していない支持体上の面から加熱する場合、感光層の塗設してある面の方は直接空気に接触していても良いが、光記録材料からの水分、揮発成分の蒸発を防いだり、熱を逃がさないように保温するために、断熱材などでカバーしても良い。
【００３４】
また加熱は、像様露光後０．１秒以上経過してから加熱する事が好ましい。加熱温度は一般に６０℃から２５０℃、好ましくは８０℃〜１８０℃であり、加熱時間は０．１秒から５分の間である。また、異なる温度で２回以上加熱してもよい。
【００３５】
次に本発明に用いられる感熱記録材料について説明する。
この感熱記録材料は、色素又は色素前駆体を含有する感熱記録材料であれば、公知のいずれのものでもよい。例えば、透明支持体上に電子供与性染料前駆体と電子受容性化合物を主成分として含有する第一の感熱発色層、最大吸収波長が３６０±２０ｎｍであるジアゾニウム塩化合物と該ジアゾニウム塩化合物と熱時反応して呈色するカプラーを含有する第二の感熱発色層、最大吸収波長が４００±２０ｎｍであるジアゾニウム塩化合物と該ジアゾニウム塩化合物と熱時反応して呈色するカプラーを含有する第三の感熱発色層を順次積層してなる多色感熱記録材料が挙げられ、複数の電子供与性染料前駆体と電子受容性化合物を共存させた感熱記録材料や、各電子供与性染料前駆体の発色開始温度が異なることを利用して異なった温度を加えることにより異なった色相の画像を得る方法や、さらに、異なった色相に発色する感熱記録層を２層積層することにより、低温で上層を、高温で上層を、下層の両者を発色させ２色発色の感熱記録材料を得る方法がある。また、透明支持体上に、ジアゾニウム塩化合物とカプラーからなる第一の感熱発色層、ポリエーテル化合物を含有する中間層、塩基性染料前駆体と電子受容性化合物からなる第二の感熱発色層を積層した多色感熱記録材料や、塩基性染料前駆体と電子受容性化合物からなる感熱発色層を２層積層した２色感熱記録材料において、低温発色層に有機塩基化合物であるグアニジン類を添加しておき、高温発色層の発色時に低温発色層の発色を消色せしめる方法や、透明支持体上に酸性染料前駆体と有機塩基化合物からなる高温感熱発色層と塩基性染料前駆体と電子受容性化合物からなる低温発色層を積層し、高温印字時には下層の有機塩基化合物が上層に拡散して発色体を消色する多色感熱記録材料がある。
【００３６】
直接感熱記録でフルカラー画像を再現する方法の１つとして、感光波長の異なった２種のジアゾニウム塩と各々のジアゾニウム塩と熱時反応して異なった色相に発色するカプラーを組み合わせた感熱記録層２層と、塩基染料前駆体と電子受容性化合物を組み合わせた感熱記録層を積層することにより良好な多色画像を再現できる感熱記録材料も知られており、本発明においては、上記いずれも採用可能である。
【００３７】
本発明の好ましい実施態様では、立体画像表示用画像が銀塩モノクロ、印刷モノクロ、ＩＪモノクロで形成されている。そして、微小透孔アレイは、ピンホールアレイである場合、ハロゲン化銀白黒写真感光材料の如き、銀塩モノクロ、印刷モノクロ、ＩＪモノクロで形成されていてもよいし、公知の方式のいずれであってもよい。
以下、微小透孔アレイが、ピンホールアレイである場合について、主に説明する。
【００３８】
ハロゲン化銀白黒写真感光材料としては、次のものが包含される。
感光材料に用いるハロゲン化銀乳剤には、ハロゲン化銀として、臭化銀、沃臭化銀、塩化銀、塩臭化銀、塩沃臭化銀等の通常のハロゲン化銀乳剤に使用される任意のものを用いることができ、例えば、ネガ型ハロゲン化銀乳剤として６０モル％以上の塩化銀を含む塩臭化銀またはポジ型ハロゲン化銀として６０モル％以上の臭化銀を含む塩臭化銀、臭化銀、沃臭化銀である。ハロゲン化銀粒子は、酸性法、中性法及びアンモニア法のいずれで得られたものでもよい。ハロゲン化銀粒子は、粒子内において均一なハロゲン化銀組成分布を有するものでも、粒子の内部と表面層とでハロゲン化銀組成が異なるコア／シェル粒子であってもよく、潜像が主として表面に形成されるような粒子であっても、また主として粒子内部に形成されるような粒子でもよい。さらにあらかじめ表面をかぶらせた粒子であってもよい。
次に、印刷モノクロ及びＩＪ（インクジェット）モノクロとしては、公知のいずれの技術を採用してもよい。
【００３９】
本発明に用いられる微小透孔アレイの例であるピンホールアレイの作成は、前記ハロゲン化銀白黒写真感光材料、インクジェット、印刷など公知のいずれの方式によってもよい。
本発明の好ましいピンホールアレイは、前述の如きハロゲン化銀白黒写真感光材料等を用いて、黒色ピンホール開口率１８〜５０％、好ましくは２５〜３５％、ピンホール最高濃度２．５以上、特に３．０以下となるように、常法により露光及び現像処理される。
【００４０】
本発明においては、ピンホールアレイと立体画像表示用画像とは、同一の透明支持体（着色透明支持体を含む。以下同じ。）上に形成されていてもよいし、別個独立の透明支持体の表・裏面上に相対向して設けられていてもよい。前者の場合、立体画像の観察に際し、両者を積層する必要があり、この場合、両者の距離が離開するように支持体のピンホールアレイ・立体画像表示用画像のない方同志を積層することが好ましい。一方、後者の場合、両者の距離が離開するように透明支持体としては、肉厚１ｍｍ〜１０ｍｍ、特に２ｍｍ〜５ｍｍのものが好ましい。
【００４１】
前者の例に用いる透明支持体についても、上記離開距離がとれるような厚みの透明支持体の組み合せが用いられる。
この前者の例の場合、本発明の好ましいピンホールアレイと立体画像表示用画像は、前記同種のハロゲン化銀白黒写真感光材料によって形成されていてもよいし、異種の感光材料によって形成（例えば、ピンホールアレイが液晶ピンホールアレイから成り、立体画像表示用画像がハロゲン化銀白黒写真感光材料から成る等。）されていてもよい。
【００４２】
前記後者の例の場合、同種のハロゲン化銀白黒写真感光材料によって形成されていることが好ましく、例えば、上記肉厚を有する透明支持体の表面側にピンホールアレイ形成用のハロゲン化銀感光層が塗設され、裏面側に立体画像表示用画像形成用のハロゲン化銀感光層が塗設されているものが用いられる。
この場合ピンホールアレイの形成と立体画像表示用画像の形成とは、この画像形成と演算処理とがパラレルに進行できる利点がある。
【００４３】
本発明においては、支持体として、伸縮性のある支持体を用い、ピンホールなどの微小透孔アレイと、立体画像表示用画像を設置したものを、画像を取り付ける相手の物体の立体面にそって取り付け、本発明の立体画像再生を立体（曲）面上で行うようにしてもよい。この場合、伸縮性のある支持体は、透明支持体である事が好ましい。伸縮性のある透明支持体として好ましいものとしては、低密度ポリエチレン、ポリ塩化ビニルのフィルム支持体などが挙げられる。微小透孔アレイと、立体画像表示用画像の相対位置を一致させるために、伸縮性のある透明支持体の片面にピンホールなどの微小透孔アレイを設け、反対面に立体画像表示用画像を設けて、その後貼り付け面に応じて伸縮させ、相対位置を保持させるようにすると、伸縮された場合にも立体画像が保持されるため、より好ましい。
【００４４】
ピンホールアレイは、好ましくは格子状であり、例えば、２４０単位×２４０単位で構成し、さらに１単位は６４画素×６４画素構成とし、ピンホールの開口率は１単位６４画
素中の未露光の透明な画素領域の大きさで調整し、２２画素×２２画素分の透明画素領域を確保した開口率２０．０％、最大濃度が２．５のピンホールアレイとすることができる。ここで、最大濃度とは黒領域をＸ−Ｒｉｔｅで測定したビジュアル濃度の最大値を指す。更に、ピンホールアレイは、格子部分の片面に銀蒸着膜を形成して光を反射する構成であってよい。
【００４５】
立体画像表示用画像を作る方法は、特有のコンピュータプログラムによるレイトレーシングによる方法でもよいが、市販のＣＧアプリケーションを用いる方法など、公知の技術を採用できる。特に、本発明においては、立体画像表示用画像が、該画像データ作成工程で３ＤＣＧソフトによる視点違いの複数レンダリング画像を用いてあること、または、立体画像表示用画像が、該画像データ作成工程でＣＡＤソフトによる視点違いの複数レンダリング画像を用いていることができる。
前述のごとく作成した複数の視点違いのレンダリング画像群を、任意の方法により合成および再配置して立体画像表示用画像とすることができる。
【００４６】
本発明における３ＤＣＧソフトは任意のソフトを用いることができる。市販で入手しやすく品質上好ましいソフトとしては、シェード、マヤ、３Ｄスタジオマックス、ソフトイメージ、ライトウエーブ３Ｄ、シネマ４Ｄなどが挙げられる。
【００４７】
本発明における透明支持体は、可視光線領域において透過性を有するものであれば特に限定されず、写真業界において公知のものを採用できる。また透明支持体は単層である必要はなく積層体であってもよい。
【００４８】
本発明の微小透孔アレイは、上記ピンホールアレイである場合に限定されない。
次に微小透孔アレイが、フライアイレンズである場合について説明する。
フライアイレンズとしては、公知のものを特別の制限なく採用することごできる。例えば、無着色又は着色の透明インキを用いて複数の凸レンズ状の集光素（フライアイレンズ）パターンを形成するものが、本発明にも採用できる。このフライアイレンズは、必要に応じて、大きさの異なる２種類又は３種類以上の集光素を混在させるように構成してもよい。また、このフライアイレンズは、印刷法を用いて形成することができるという利点もある。特にスクリーン印刷法にて製造される場合が好ましい。尚、本発明のフライアイレンズは上記に限らず、インクジェット方式などの公知の技術を用いて製造してもよい。
【００４９】
本発明の好ましいピンホールアレイは、前述の方法を用いて、フライアイレンズ開口率２０〜５０％、好ましくは２５〜４０％となるように製造される。
例えば、フライアイレンズの開口率は、上述したピンホールアレイと同様に１単位６４画素中の未露光の透明な画素領域の大きさで調整し、２２画素×２２画素分の透明画素領域を確保した開口率２５．０％、最大濃度が２．８とすることができる。
【００５０】
本発明において組合せ使用されるバックライトは、下記光源（Ａ）〜（Ｅ）を含む白色光源であることが好ましい。
具体的には、
［光源（Ａ）］６２０ｎｍにおける発光強度を１としたとき３６５ｎｍにおける発光強度が０．２未満である白色光源。
［光源（Ｂ）］６２０ｎｍにおける発光強度を１としたとき３６５ｎｍにおける発光強度が０．１未満である白色光源。
［光源（Ｃ）］３７０ｎｍより長波な発光源と、該発光を蛍光材により波長変換した光を含有することで白色を呈する白色光源。
［光源（Ｄ）］水銀の紫外部輝線発光を、蛍光材波長変換の発光源としない白色光源。
［光源（Ｅ）］前記光源（Ｃ）又は光源（Ｄ）であって、少なくとも２種以上の波長変換蛍光材を有し、その発光源が４００ｎｍより短波である白色光源。
等のいずれであってもよい。
【００５１】
具体的に説明すれば、白色光は、光の混色により得られるものであり、発光源である波長４５０〜５５０ｎｍのＩｎＧａＮ系の青色ＬＥＤが発する青色光と、蛍光体が発する黄色光とを混合したものであり、このような白色ＬＥＤに適当な蛍光体としては、例えば、
組成式：（Ｙ，Ｇｄ）３（Ａｌ，Ｇａ）３Ｏ１２で示されるＹＡＧ系酸化物にＣｅをドープした蛍光体が最もよく用いられている。この蛍光体は、発光源であるＩｎＧａＮ系の青色ＬＥＤチップの表面に薄くコーティングされて白色系に発光する。このような白色光源を本発明に用いてもよい。
【００５２】
次に、本発明においては、例えば、発光波長が３６０ｎｍ〜５５０ｎｍの範囲にある発光素子と、希土類元素を賦活させた酸窒化物の蛍光体とを備え、前記発光素子の光の一部は前記蛍光体により波長変換されて放出される白色光源を用いてもよく、前記発光素子の発光波長は、４５０ｎｍ〜５５０ｎｍの範囲にあって、前記波長変換された光と、前記発光素子の光の他の一部とが混合されて放出されることにより白色系の発光をすることが好ましく、前記酸窒化物は、アルファサイアロンを母体材料とする酸窒化物であることが好ましい。
【００５３】
そして、前記蛍光体は、一般式  ＭｅｘＳｉ１２−（ｍ＋ｎ）Ａｌ（ｍ＋ｎ）ＯｎＮ１６−ｎ：Ｒｅ１ｙＲｅ２ｚで示され、アルファサイアロンに固溶する金属Ｍｅ（Ｍｅは、Ｌｉ、Ｃａ、Ｍｇ、Ｙ、又はＬａとＣｅを除くランタニド金属の一種若しくは２種以上）の一部若しくはすべてが、発光の中心となるランタニド金属Ｒｅ１（Ｒｅ１は、Ｃｅ、Ｐｒ、Ｅｕ、Ｔｂ、Ｙｂ、又はＥｒの一種若しくは二種以上）、又はランタニド金属Ｒｅ１及び共賦活材としてのランタニド金属Ｒｅ２（Ｒｅ２はＤｙ）で置換されて成ることが好ましい。
【００５４】
この構造の白色ＬＥＤは、高品位な立体画像色再現性にも優れて好ましい。
本発明に用いられる観察光としての白色光源は、上市されているものもあり、市場からも入手可能であり、例えば、紫外ＬＥＤは、豊田合成社のＴＧ  Ｐｕｒｐｌｅとして知られており、これを用いた白色ＬＥＤは、同社から、高輝度白色ＬＥＤ「ＴＧ  ＴＲＵＥ  Ｗｈｉｔｅ  Ｈｉ」として、上市されており、本発明においては、これらを使用することもできる。
【００５５】
尚、本発明のＫｓが１〜１００００の化合物、（Ｋｑ）が１×１０６〜１×１０９である化合物及び／又は３３０〜３９０ｎｍに吸収極大ピークを有しεが１００００以上の化合物を、微小透孔アレイと立体画像表示用画像を有する立体画像形成方法を構成する部材のいずれかに含有することが好ましく、例えば、微小透孔アレイ、立体画像表示用画像或いは任意の位置に設けられた透明保護層や中間層などのいずれであってもよい。本発明においては、かかる構成部材は、立体画像表示用画像を基準にして観察側に設けられているものであることが特に好ましい。即ち、立体画像表示用画像よりも観察側に設けた透明保護層等の中に上記化合物を含有することが好ましい。
【００５６】
また、本発明においては、立体画像表示用画像、観察側の透明保護層、バックライト側の透明保護層等の構成部材を有することが好ましい。
【００５７】
次に図３に本発明のインテグラルフォトグラフィの原理を示す（以下、このインテグラルフォトグラフィの原理を用いた画像を「ＩＰ画像」という）。
図３に示すように、上述した作成方法により、上側透明シート２４ａには微小透孔アレイ２３が、下側透明シート２４ｃにはＩＰ用画像２１が、それぞれ予めプリントされている、２枚の透明シートの間隔を一定に保つため、間に中間透明板２４ｂが挿入されている。またＩＰ用画像２１を照らすため、その下に光源２２が置かれている。
【００５８】
観察者Ｈは、微小透孔アレイ２３を通過してきた光を見る。その際、右目に入る光が、ＩＰ用画像２１の点Ｑから出たのか、それとも３次元物体上のＳから出たのか区別できない。同様に左目に入る光が、ＩＰ用画像２１の点Ｒから出たのか、それとも仮想の３次元物体上のＳから出たのか区別できない。従って、両眼視差により、あたかも点Ｓに物体があるように見える、というものである。尚、微小透孔アレイ２３は、図３において、立体画像表示用画像であるＩＰ用画像２１とその位置が交換されてもよいし、光源２２は、透過光でなく、反射光を利用するのであれば、観察者Ｈ側にあってもよい。この様なＩＰ立体画像は、手軽に立体画像を得られ、また銀塩写真プリンタを使用すると立体感が向上する利点が見られる。
【実施例】
【００５９】
以下、実施例を挙げて本発明を例証する。
［実施例１］
本発明のＩＰ画像を用いた立体表示物（立体画像表示用画像）を以下の様にして作成した。
【００６０】
＜ＩＰ画像の作成＞
３ＤＣＧデータを用い、株式会社イーフロンティアの３ＤＣＧソフトＳｈａｄｅ６ａｄｖａｎｃｅにてサンプル画像となる３Ｄ形状データを作成し、カメラ位置を制御して以下のような視点違いのレンダリング画像群を作成した。
【００６１】
注視点を中心として横方向に３２視点分、縦方向に３２視点分の等間隔のマトリックス上に存在する合計１０２４視点の画像パターンから成っており、各視点画像のレンダリング画像サイズは３６０画素×３６０画素で形成した。
この画像群を上述のインテグラルフォトグラフィの原理を用いた方法により、図２に示すように再配置合成して、ＩＰ画像データを作成した。
【００６２】
上記のＩＰ画像データをコダック社製デジタル露光機ＬＶＴプリンターにて、ハロゲン化銀カラー写真感光材料である５×７インチの銀塩カラーポジフィルムシートに２０３２ｄｐｉの解像度で露光（出力）し、いわゆるＥ６処理にて発色現像処理を行なった。こうして得られたカラー画像をＩＰ用画像２１ａとする。
【００６３】
同様に上記のＩＰ画像データを、ダースト社製デジタル露光機ラムダにて、７５ｃｍサイズの銀塩カラーディスプレイフィルムに４００ｄｐｉの解像度で露光（出力）し、いわゆるＲＡ４処理にて発色現像処理を行なった。こうして得られたカラーＩＰ画像をＩＰ用画像２１ｂとする。
【００６４】
＜ピンホール画像の作成＞
アドビ社フォトショップｖｅｒ６にて、ピンホールアレイを３６０単位×３６０単位で構成し、さらに１単位は３２画素×３２画素構成とした画像データを作成した。このうち１単位あたり３２画素×３２画素をピンホールとし、ピンホールの開口率は６．０％とした。
上記のピンホール画像データを、コダック社製デジタル露光機ＬＶＴプリンターにて、５×７インチの銀塩カラーポジフィルムシートに２０３２ｄｐｉの解像度で露光（出力）し、いわゆるＥ６処理にて発色現像処理を行なった。こうして得られたピンホール画像を微小透孔アレイ２３ａとする。
【００６５】
同様に上記のピンホール画像データを、ダースト社製デジタル露光機ラムダにて、７５ｃｍサイズの銀塩カラーディスプレイフィルムに４００ｄｐｉの解像度で露光（出力）し、いわゆるＲＡ４処理にて発色現像処理を行った。こうして得られたピンホール画像を微小透孔アレイ２３ｂとする。
【００６６】
＜バックライトの作成＞
豊田合成社製白色ＬＥＤ「ＴＧ  Ｗｈｉｔｅ  Ｈｉ」にて光源２２を作成した。
【００６７】
＜立体表示試料の構成＞
図４に示すように、光源２２上に、前述の方法にて得られたＩＰ用画像２１ａと微小透孔アレイ２３ａを、光源２２から観察者Ｈ方向へ微小透孔アレイ２３ａ、ＩＰ用画像２１ａの順に非画像形成側フィルム（支持体）である上側透明シート２４ａ〜下側透明シート２４ｃで張り合わせ、ＩＰ用画像２１ａと微小透孔アレイ２３ａとは約４２０μｍの距離をおいて配置した。こうして得られた立体表示試料を構成Ａとする。
【００６８】
また、図５に示すように、光源２２上に、前述の方法にて得られたＩＰ用画像２１ｂと微小透孔アレイ２３ｂを、光源２２から観察者Ｈ方向へ微小透孔アレイ２３ｂ、ＩＰ用画像２１ｂの順に非画像形成側フィルム（支持体）である上側透明シート２４ａ、微小透孔アレイ２３ｂ、及び下側透明シート２４ｃで張り合わせ、ＩＰ用画像２１ａと微小透孔アレイ２３ａとは約４２０μｍの距離をおいて配置した。こうして得られた立体表示試料を構成Ｂとする。
【００６９】
なお、構成Ａ及び構成Ｂの観察側最表面には、３００μｍ厚のＴＡＣフィルムである透明保護膜２５を貼り付けた。
【００７０】
＜立体表示試料＞
上述した構成Ａにおいて、微小透孔アレイ２３ａの開口率がそれぞれ６．０、１７．０、２５．０、４０．０、９０．０％である試料Ａ１１、試料Ａ１２、試料Ａ１３、試料Ａ１４、試料Ａ１５を作成した。
また、上述した構成Ｂにおいて、微小透孔アレイ２３ｂの開口率がそれぞれ２５．０、１７．０％である試料Ｂ１６、試料Ｂ１７と、微小透孔アレイ２３ｂの光源２２側に光を反射する銀膜を真空蒸着により１０ｎｍの膜厚で形成した試料Ｂ１８を作成した。
これらの３Ｄディスプレイを、観察環境４ｌｕｘ、観察距離５ｍの条件下で、表示立体画像の明るさ及び立体画像のぼけの度合いを以下の評価基準で評価し、結果を表１に示した。
【００７１】
本実施例で用いられた画面Ｇには、図７に示すように、手前に最も暗い木（近影）１０１、画面中央の奥に木（遠影）１０２、画面左側の近景から遠景に向けて延びる送電線１０４、及び右奥に晴天下の空の最遠景として送電線１０４が表示される。
【００７２】
低照度下での立体画像の明るさ及びぼけの評価は、下記基準による５段階視覚評価（１０名）の平均値を求めて行い、結果は表１に示すとおりであった。
＜立体画像の明るさ＞
５点：木（近影）１０１の細部の画像が明るく見分けられる。
４点：木（近影）１０１のおおよその部分が見分けられる。
３点：木（遠影）１０２の細部の画像が明るく見分けられるが、木（近影）１０１がつぶれて見える。
２点：白い雲１０３の細部が明るく見分けられるが、木（遠影）１０２がつぶれて見える。
１点：画面全面が暗く、細部が見分けられない。
＜立体画像のぼけ＞
５点：送電線１０４が遠影から近影まではっきりと識別できる。
４点：送電線１０４の遠影がにじんでみえる。
３点：送電線１０４がにじんで見える。
２点：送電線１０４の遠影が識別できない。
１点：送電線１０４が識別できない。
【００７３】
【表１】
2006208804.tif 000003
【００７４】
表１から明らかなように、試料Ａ１１、Ａ１２、Ａ１５と比べて、試料Ａ１３、Ａ１４の方が、明るく、ぼけの少ない鮮明な立体画像として観察者に認識させることができた。同様に、試料Ｂ１６の方が試料Ｂ１７と比べてより鮮明な立体画像として観察者に認識させることができた。また、構成Ｂと構成Ａとでは構成Ｂの方がより鮮明な立体画像として観察者に認識させることができた。また、試料Ｂ１６と試料Ｂ１８とでは試料Ｂ１８の方がより鮮明な立体画像として観察者に認識させることができた。
【００７５】
以上のように、微小透孔アレイ２３ａ、２３ｂなどのピンホールを使用した場合により鮮明な立体画像として観察者に認識させるためには、その開口率が２０％〜５０％、さらには２５〜４０％である場合に優れた結果であった。また、ＩＰ画像とピンホールの位置構成は、構成Ｂの形態がより鮮明に認識させることができ、さらにはピンホール裏面（光源側）に光を反射する膜を設ける構成がより優れた結果であった。
【００７６】
［実施例２］
本発明のＩＰ画像を用いた立体表示物（立体画像表示用画像）を以下の様にして作成した。
【００７７】
＜ＩＰ画像の作成＞
製品化されている３Ｄ入力機である三次元非接触型実写（データ）を用い、株式会社イーフロンティアの３ＤＣＧソフトＳｈａｄｅ６ａｄｖａｎｃｅにてサンプル画像となる３Ｄ形状データを作成し、カメラ位置を制御して以下のような視点違いのレンダリング画像群を作成した。
【００７８】
注視点を中心として横方向に３２視点分、縦方向に３２視点分の等間隔のマトリックス上に存在する合計１０２４視点の画像パターンから成っており、各視点画像のレンダリング画像サイズは３６０画素×３６０画素で形成した。
この画像群を上述のインテグラルフォトグラフィの原理を用いた方法により、図２に示すように再配置合成して、ＩＰ画像データを作成した。
【００７９】
上記のＩＰ画像データをコダック社製デジタル露光機ＬＶＴプリンターにて、ハロゲン化銀カラー写真感光材料である５×７インチの銀塩カラーポジフィルムシートに２０３２ｄｐｉの解像度で露光（出力）し、いわゆるＥ６処理にて発色現像処理を行なった。こうして得られたカラー画像をＩＰ用画像２１ｃとする。
【００８０】
＜フライアイレンズアレイの作成＞
２１０μｍ厚で７５ｃｍ正方サイズの透明ＰＥＴフィルム上に、ＵＶ硬化タイプの透明インクを使用してスクリーン印刷法にて、間隔が２．０３ｍｍの正方配置になるように直径１．９８ｍｍの凸レンズ群を作成した。レンズの焦点距離は約５ｍｍとした。こうして得られたフライアイレンズアレイを微小透孔アレイ２３ｃとする。
【００８１】
＜バックライトの作成＞
豊田合成社製白色ＬＥＤ「ＴＧ  Ｗｈｉｔｅ  Ｈｉ」にて光源２２を作成した。
【００８２】
＜立体表示試料の構成＞
図６に示すように、光源２２上に、前述の方法にて得られたＩＰ用画像２１ｃと微小透孔アレイ２３ｃを、光源２２から観察者Ｈ方向へ微小透孔アレイ２３ｃ、ＩＰ用画像２１ｃの順に非画像形成側フィルム（支持体）である上側透明シート２４ａ〜下側透明シート２４ｃで張り合わせ、ＩＰ用画像２１ａと微小透孔アレイ２３ａとは約４２０μｍの距離をおいて配置した。具体的には、前述した実施例の構成Ｂにおける光源２２から観察者Ｈへの配置順序の中で、微小透孔アレイ２３ｂが微小透孔アレイ２３ｃに置き換わったものである。こうして得られた立体表示試料を構成Ｃとする。
なお、構成Ｃの観察側最表面には、３００μｍ厚のＴＡＣフィルムである透明保護膜２５を貼り付けた。
【００８３】
＜立体表示試料＞
上述した構成Ｃにおいて、微小透孔アレイ２３ｃの開口率がそれぞれ６．０、１７．０、２５．０、４０．０、５５．０、７５．０、９０．０％である試料Ｂ２１、Ｂ２２、Ｂ２３、Ｂ２４、Ｂ２５、Ｂ２６、Ｂ２７を作成した。
これらの３Ｄディスプレイを、観察環境４ｌｕｘ、観察距離５ｍの条件下で、表示立体画像の明るさ及び立体画像のぼけの度合いを以下の評価基準で評価し、結果を表１に示した。
【００８４】
なお、本実施例で用いられた画面Ｇには、図７に示すように、手前に最も暗い木（近影）１０１、画面中央の奥に木（遠影）１０２、画面左側の近景から遠景に向けて延びる送電線１０４、及び右奥に晴天下の空の最遠景として送電線１０４が表示される。
【００８５】
低照度下での立体画像の明るさ及びぼけの評価は、下記基準による５段階視覚評価（１０名）の平均値を求めて行い、結果は表２に示すとおりであった。
＜立体画像の明るさ＞
５点：木（近影）１０１の細部の画像が明るく見分けられる。
４点：木（近影）１０１のおおよその部分が見分けられる。
３点：木（遠影）１０２の細部の画像が明るく見分けられるが、木（近影）１０１がつぶれて見える。
２点：白い雲１０３の細部が明るく見分けられるが、木（遠影）１０２がつぶれて見える。
１点：画面全面が暗く、細部が見分けられない。
＜立体画像のぼけ＞
５点：送電線１０４が遠影から近影まではっきりと識別できる。
４点：送電線１０４の遠影がにじんでみえる。
３点：送電線１０４がにじんで見える。
２点：送電線１０４の遠影が識別できない。
１点：送電線１０４が識別できない。
【００８６】
【表２】
2006208804.tif 000004
【００８７】
表２から明らかなように、試料Ｂ２１、Ｂ２２、Ｂ２６、Ｂ２７と比べて、試料Ｂ２３、Ｂ２４、Ｂ２５の方が、明るく、ぼけの少ない鮮明な立体画像として観察者に認識させることができた。また試料Ｂ２３に比べて試料Ｂ２４が、試料Ｂ２５に比べて試料Ｂ２４が、より鮮明な立体画像として観察者に認識させることができた。
【００８８】
以上のように、微小透孔アレイ２３ｃなどのフライアイレンズを使用した場合により鮮明な立体画像として観察者に認識させるためには、その開口率が１８％〜５０％、さらには２５〜４０％である場合に優れた結果であった。
【００８９】
本発明は、複数コマによる擬似動画表示ディスプレイとしての利用も可能である。例えば、図８に示すように、上記実施例と同様の構成の立体画像形成方法ユニットにおいて、微小透孔アレイ２３ａの代わりとして、例えば、微小透孔アレイ２３ｂを用い、この微小透孔アレイ２３ｂの開口位置を変化させる、つまり電気的に開口位置を変更可能な液晶シャッターによりマスク位置を変動させる。これにより、予め用意された図９（ａ）及び（ｂ）に示されるような２コマの立体画像表示用画像を立体画像化して観察可能とすることができる。
具体的には、一つの液晶ピンホールの開口率を３０％とした場合に外部環境光４ｌｕｘ下で観察した場合、明るくぼけ少ない二種類の立体画像を切り換えることができた。開口率１５％や９０％では、鮮明な二種類の立体画像を表示することができなかった。
【図面の簡単な説明】
【００９０】
【図１】本発明の立体画像表示装置の製造方法を示す工程原理図である。
【図２】立体画像表示装置における立体表示用画像の作成を説明する原理図である。
【図３】プリント技術を用いたインテグラルフォトグラフィの原理図である。
【図４】実施例１で用いた構成Ａである立体画像表示装置の横断面図である。
【図５】実施例１で用いた構成Ｂである立体画像表示装置の横断面図である。
【図６】実施例２で用いた構成Ｃである立体画像表示装置の横断面図である。
【図７】実施例で用いた立体画像表示装置による画面Ｇの正面図である。
【図８】本発明を複数コマ擬似動画表示ディスプレイとして利用した場合の概略縦断面図である。
【図９】（ａ）は、擬似動画表示ディスプレイを用いて擬似動画を表した一例の正面図であり、（ｂ）は、擬似動画表示ディスプレイを用いて擬似動画を表した他例の正面図である。
【符号の説明】
【００９１】
１０  入力工程
１１  多視点画像データ化工程
１２  ＩＰ画像処理工程
１３  ＩＰ画像出力工程
１４  ３Ｄ表示化工程
２１、２１ａ、２１ｂ、２１ｃ  ＩＰ用画像
２１０  視点違いの画像群
２２  光源
２３、２３ａ、２３ｂ、２３ｃ  微小透孔アレイ
２３ｄ  液晶ピンホールアレイ
２４ａ  上側透明シート
２４ｂ  中間透明板
２４ｃ  下側透明シート
２５  透明保護膜
１０１  木（近影）
１０２  木（遠影）
１０３  白い雲
１０４  送電線
Ａ、Ｂ、Ｃ  構成
Ａ１１〜Ａ１８、Ｂ２１〜Ｂ２７  試料
Ｈ  観察者
Ｇ  画面
【図１】
2006208804.tif 000005
【図２】
2006208804.tif 000006
【図３】
2006208804.tif 000007
【図４】
2006208804.tif 000008
【図５】
2006208804.tif 000009
【図６】
2006208804.tif 000010
【図７】
2006208804.tif 000011
【図８】
2006208804.tif 000012
【図９】
2006208804.tif 000013